(57)【特許請求の範囲】
【請求項１】
消火ポンプからの加圧された消火用水が供給される給水本管と、該給水本管から各警戒区域毎に引き出された分岐管と、該分岐管の引出し部分に設置される湿式流水検知装置と、該湿式流水検知装置の二次側の前記分岐管に接続されたスプリンクラーヘッドとを備え、前記湿式流水検知装置が出力する流水検知信号に基づいて警戒区域毎の警報表示を行うスプリンクラー消火設備に於いて、
前記湿式流水検知装置の二次側の前記スプリンクラーヘッドを接続した分岐管の末端に前記湿式流水検知装置と直列に別の流水検知装置を接続し、更に前記別の流水検知装置を介して二次側の分岐管に前記一警戒区域内の特定の防護区画に設置したスプリンクラーヘッドを接続し、前記別の流水検知装置の流水検知信号の出力により一警戒区域内の特定の防護区画を特定した警報表示を前記警報表示とは別に行うことを特徴とするスプリンクラー消火設備。
【請求項２】
請求項１記載のスプリンクラー消火設備に於いて、前記湿式流水検知装置の二次側に設置した前記別の流水検知装置は予作動式の流水検知装置であり、該予作動式流水検知装置の二次側の分岐管に閉鎖型スプリンクラーヘッドを接続したことを特徴とするスプリンクラー消火設備。
【請求項３】
請求項１記載のスプリンクラー消火設備に於いて、前記湿式流水検知装置の二次側に設置した前記別の流水検知装置は乾式の流水検知装置であり、該乾式流水検知装置の二次側の分岐管に閉鎖型スプリンクラーヘッド及び規定の加圧空気を充填するコンプレッサからの空気配管を接続したことを特徴とするスプリンクラー消火設備。
【請求項４】
請求項１記載のスプリンクラー消火設備に於いて、前記湿式流水検知装置の二次側に設置した前記別の流水検知装置は湿式の流水検知装置であり、該湿式流水検知装置の二次側の分岐管に閉鎖型スプリンクラーヘッドを接続したことを特徴とするスプリンクラー消火設備。
【請求項５】
請求項１記載のスプリンクラー消火設備に於いて、前記湿式流水検知装置の二次側に設置した前記別の流水検知装置は湿式の流水検知装置であり、該湿式流水検知装置の二次側の分岐管に、少なくとも火災感知器による火災検出で開放作動する一斉開放弁を介して開放型スプリンクラーヘッドを接続したことを特徴とするスプリンクラー消火設備。
【請求項６】
消火ポンプからの加圧された消火用水が供給される給水本管と、該給水本管から各警戒区域毎に引き出された分岐管と、該分岐管の引出し部分に設置される湿式流水検知装置と、該湿式流水検知装置の二次側の前記分岐管に接続されたスプリンクラーヘッドとを備えたスプリンクラー消火設備に於いて、
前記警戒区域内の特定の防護区画に設置したスプリンクラーヘッドを、前記湿式流水検知装置の二次側の前記スプリンクラーヘッドを接続した分岐管の末端に前記湿式流水検知装置と直列に接続した別の流水検知装置の二次側の分岐管に接続し、
更に前記分岐管に接続され前記湿式流水検知装置の作動試験を行う末端試験弁と、前記別の流水検知装置より二次側の分岐管に接続され前記別の流水検知装置の作動試験を行う別の末端試験弁とを設けたことを特徴とするスプリンクラー消火設備。
【発明の詳細な説明】
【０００１】
【発明の属する技術分野】
本発明は、火災発生時にスプリンクラーヘッドから消火用水を放水して消火するスプリンクラー消火設備に関する。
【０００２】
【従来の技術】
従来、この種のスプリンクラー消火設備としては、湿式、乾式、予作動式のスプリンクラー消火設備がある。この内、コストの面から湿式のスプリンクラー消火設備が主流となっている。
図６は従来の湿式のスプリンクラー消火設備であり、消火ポンプ１に接続され、建物の垂直方向に配管された給水本管４から分岐した分岐管６に湿式流水検知装置８を設け、その二次側に閉鎖型スプリンクラーヘッド１０を接続し、閉鎖型スプリンクラーヘッド１０までの全配管内に加圧水を充満させている。
【０００３】
給水本管４の圧力は圧力タンク１３に導入され、管内圧力を常に規定圧以上に維持している。火災時にスプリンクラーヘッド１０が作動すると流水が生じ、これにより流水検知装置８が作動し、流水検知スイッチ９がオンして流水検知信号を自火報受信機２５に送る。流水検知信号を受けた自火報受信機２５は、火災の区画を表示する。
【０００４】
またスプリンクラーヘッド１０の作動により給水本管４の圧力が低下し、圧力タンク１３の圧力スイッチ１４が所定圧力以下になったことを検出することにより作動信号をポンプ制御盤１５に出力すると、ポンプ制御盤１５はモータ２の駆動により消火ポンプ１を運転する。ポンプ運転により、貯水槽３から消火用水が加圧供給され、作動したスプリンクラーヘッド１０から連続放水が行われる。
【０００５】
このような湿式スプリンクラー消火設備にあっては、火災時にスプリンクラーヘッド１０が作動すると同時に放水が行われてしまうことから、水損が発生すると共に水を無駄に使用してしまうという問題があった。この湿式スプリンクラー消火設備の問題を解決する設備として、図７の予作動式スプリンクラー消火設備が知られている。
【０００６】
予作動式スプリンクラー消火設備は、給水本管４から電気的に開閉可能な制御弁を備えた予作動式流水検知装置１８を介して分岐管６を引き出し、閉鎖型スプリンクラーヘッド１０を接続している。予作動式流水検知装置１８の制御弁は、定常監視状態で閉鎖状態に維持されており、このため予作動式流水検知装置１８の一次側まで加圧水が充満されている。
【０００７】
スプリンクラー制御盤４１は、閉鎖型スプリンクラーヘッド１０の防護区画に設けられた火災感知器２４からの火災信号を受けると、予作動式流水検知装置１８の制御弁を開放制御し、加圧水を閉鎖型スプリンクラーヘッド１０のところまで充水させる予作動状態を作り出す。この状態で閉鎖型スプリンクラーヘッド１０が火災の熱を受けて作動すると、放水が開始される。したがって、火災感知器２４及び閉鎖型スプリンクラーヘッド１０の両方が作動しない限り放水されないので、水損が発生すると共に無駄に使用してしまうという湿式スプリンクラー消火設備の問題は解決される。
【０００８】
【発明が解決しようとする課題】
ところで、このような従来の湿式スプリンクラー消火設備にあっては、例えば建物のフロア単位で決まる各警戒区域毎に給水本管から分岐管を引き出して湿式流水検知装置を設置しており、火災エリアの特定がフロアの警戒区域単位となっている。このため警戒区域内にＯＡルームや危険物貯蔵所等の極端に水を嫌う特定の区画がある場合、この区画のみ予作動式スプリンクラー消火設備の形態にしたくとも、フロア全体を１つの警戒区域としているため、警戒区域内の特定の区画のみが予作動式スプリンクラー消火設備を必要としているにもかかわらず、フロア全体を予作動式スプリンクラー消火設備としなければならず、設備コストが高くなり過ぎる問題がある。勿論、同じフロアであっても、水を極端に嫌う特定の防護区画に対し、専用の分岐管を引いて予作動式スプリンクラー消火設備の形態とすることもできるが、場所によっては分岐管が長くなり、同じ警戒区域に分岐管を二系統設置することは、設備工事が繁雑になり、コストアップになる問題がある。
【０００９】
一方、警戒区域となるフロア面積が広いと、火災が発生した区画を詳細に特定できず、火災位置や火災規模の判断に手間取り、屋内消火栓等による消火活動に遅れを生ずる恐れがあった。
本発明は、このような従来の問題点に鑑みて成されたもので、１つの警戒区域につき、湿式を主体とし、必要に応じて予作動式又は乾式等の別の設備形態を複合化することで区画に適した設備形態を低コストで実現できるスプリンクラー消火設備を提供することを目的とする。
【００１０】
【課題を解決するための手段】
この目的を達成するため本発明は次のように構成する。本発明は、消火ポンプからの加圧された消火用水が供給される給水本管と、給水本管から各警戒区域毎に引き出された分岐管と、分岐管の引出し部分に設置される湿式流水検知装置と、湿式流水検知装置の二次側の前記分岐管に接続されたスプリンクラーヘッドとを備えた湿式流水検知装置が出力する流水検知信号に基づいて警戒区域毎の警報表示を行う湿式主体のスプリンクラー消火設備を対象とし、湿式流水検知装置の二次側のスプリンクラーヘッドを接続した分岐管の末端に湿式流水検知装置と直列に別の流水検知装置を接続し、更に別の流水検知装置を介して二次側の分岐管に警戒区域内の特定の防護区画に設置したスプリンクラーヘッドを接続し、別の流水検知装置の流水検知信号の出力により一警戒区域内の特定の防護区画を特定した警報表示を前記警報表示とは別に行うことを特徴とする。
【００１１】
例えば警戒区域の特定の防護区画がＯＡルームや薬品貯蔵所等の極端に水を嫌う場所であった場合には、湿式流水検知装置の二次側に設置する別の流水検知装置として予作動式の流水検知装置を設置し、予作動式流水検知装置の二次側の分岐管に閉鎖型スプリンクラーヘッドを接続する。
このため警戒区域全体を予作動式設備にしたり、特定の区画に対し専用の分岐管を設けて予作動式設備とする必要はなくなり、低コストで湿式主体の設備の中の特定部分を予作動式設備とできる。
【００１２】
また湿式流水検知装置の二次側に設置する別の流水検知装置として乾式の流水検知装置を設置し、乾式流水検知装置の二次側の分岐管に閉鎖型スプリンクラーヘッド及び規定の加圧空気を充填するコンプレッサからの空気配管を接続するようにしてもよい。
更に、湿式流水検知装置の二次側に設置する別の流水検知装置として同じ湿式流水検知装置を設置し、湿式流水検知装置の二次側の分岐管に閉鎖型スプリンクラーヘッドを接続してもよい。この場合は、同じ警戒区域の分岐管に複数の湿式流水検知装置が設けられ、流水検知装置が作動したときの流水検知信号が火災区画を示すことから、広い警戒区域を細分化して火災位置や火災規模を容易に判断でき、屋内消火栓等による消火活動が迅速にできる。
【００１３】
更に、湿式流水検知装置の二次側に同じ湿式の流水検知装置を設置した場合、この湿式流水検知装置の二次側の分岐管に、少なくとも火災感知器による火災検出で開放作動する一斉開放弁を介して開放型スプリンクラーヘッドを接続してもよい。この場合は分岐管に複数の湿式流水検知装置を設けたことによって火災位置と規模の判断が適切できると同時に、一斉開放弁の二次側を開放型スプリンクラーヘッドを接続した空配管としているので、建物の工事等でスプリンクラーヘッドに物が当って誤作動させた際の消火用水の散水による水損被害を防止できる。
また、湿式流水検知装置の作動試験を行うための末端試験弁を分岐管に接続するとともに、別の流水検知装置の作動試験を行うための別の末端試験弁を別の流水検知装置の後段に設け、特定の防護区画及びそれ以外の防護区画を個々に作動試験を行えるようにした。よって、作動試験用の末端試験弁を特定区域用と特定区域以外用と別々に用意し設けることで、一警戒区域内の作動試験時に各作動試験による警報表示等の確認などができ、よりきめ細かい試験を行うことができる。
【００１４】
【発明の実施の形態】
図１は本発明によるスプリンクラー消火設備の実施形態であり、この実施形態にあっては、分岐管の湿式流水検知装置に続いて予作動式流水検知装置を設け、湿式主体の設備の特定区画について予作動式設備としたことを特徴とする。
図１において、建物の地下階などには消火ポンプ１及びモータ２が設置され、ポンプ制御盤１５によるモータ２の駆動で消火ポンプ１を運転し、貯水槽３の消火用水を汲み上げ、建物の垂直方向に配管した給水本管４に加圧供給するようにしている。建物の屋上には高架水槽５が設置され、給水本管４に常時消火用水を充満させている。
【００１５】
また給水本管４の管内圧力を規定圧に保持するための圧力タンク１３が分岐接続され、給水本管４の管内圧力を導入して内部空気を圧縮している。圧力タンク１３には圧力スイッチ１４が設けられ、スプリンクラーヘッドの作動により管内圧力が規定圧力以下に低下すると圧力スイッチ１４がオンし、このオンを検出することでポンプ制御盤１５がモータ２を駆動して消火ポンプ１を運転する。
【００１６】
給水本管４からは建物の階ごとに分岐管６が引き出されている。この分岐管６が引き出された建物のフロアが１つの警戒区域を形成している。分岐管６の引き出し部分には仕切り弁７に続いて湿式流水検知装置８が設けられ、湿式流水検知装置８の二次側の分岐管には閉鎖型スプリンクラーヘッド１０ａが複数接続されている。
【００１７】
ここで閉鎖型スプリンクラーヘッド１０ａが設置された区画を区画Ａとする。流水検知装置８は区画Ａに設置している閉鎖型スプリンクラーヘッド１０ａが火災により作動して消火用水を散水すると、このときの消火用水の流れを検出して弁を開放する。このとき流水検知スイッチ９がオンして自火報受信盤２５に対し流水検知信号Ｅ１を出力し、自火報受信盤２５において区画Ａでの火災発生を表示させる。
【００１８】
区画Ａに設けた閉鎖型スプリンクラーヘッド１０ａの管末部分は排水管側に接続され、ここに末端試験弁１１ａ及びオリフィス１２ａを設け、末端試験弁１１ａを開くことでオリフィス１２ａにより閉鎖型スプリンクラーヘッド１０ａが１つ作動した分の流水を起こして、区画Ａに対する湿式流水検知装置８の作動試験及び消火ポンプ１の起動による試験ができるようにしている。
【００１９】
更に本発明のスプリンクラー消火設備にあっては、分岐管６に設けた区画Ａの湿式流水検知装置８に続き、仕切弁１７を介して更に予作動式流水検知装置１８を設け、予作動式流水検知装置１８の二次側の分岐管１９に例えばＯＡルームや薬品貯蔵所などの極端に水を嫌う特定の区画Ｂを対象に閉鎖型スプリンクラーヘッド１０ｂを接続している。
【００２０】
予作動式流水検知装置１８は、この実施形態にあっては、電動弁２１を制御弁として備えており、区画Ｂに設置している火災感知器２４の火災検出信号Ｅ２をスプリンクラー制御盤２３で受けた際に、スプリンクラー制御盤２３からの制御信号Ｅ３により電動弁２１を開くことで、装置内の弁本体を開放して、一次側の分岐管６から二次側の分岐管１９に消火用水を供給する予作動状態を作り出す。
【００２１】
この分岐管１９側に消火用水が充満した予作動状態で閉鎖型スプリンクラーヘッド１０ｂが火災により作動すると、区画Ｂに対する消火用水の散水が行われ、更に予作動式流水検知装置１８を介して一次側の分岐管６に流水が生ずることで、湿式流水検知装置８が開放作動し、更に給水本管４の管内圧力が低下して消火ポンプ１の起動による加圧消火用水の供給が開始されることになる。
【００２２】
また予作動式流水検知装置１８には流水検知スイッチ２２が設けられており、流水を検知すると流水検知信号Ｅ４を自火報受信盤２５に出力し、区画Ｂでの火災発生を警報表示する。またスプリンクラー制御盤２３を経由して火災感知器２４からの火災検知信号Ｅ２も自火報受信盤２５に与えられている。このため自火報受信盤２５は、火災検出信号Ｅ２の受信で例えばプリアラームを出し、流水検知信号Ｅ４の受信で火災警報を出すことができる。
【００２３】
区画Ｂに設けた予作動式の設備をもつ分岐管１９の管末も排水管側に接続され、ここに末端試験弁１１ｂとオリフィス１２ｂを設け、区画Ｂの予作動式設備の末端試験ができるようにしている。
次に図１の実施形態の動作を説明する。定常監視状態にあっては、分岐管６の湿式流水検知装置８及び分岐管１９の予作動式流水検知装置１８は共に閉じており、予作動式流水検知装置１８の一次側の分岐管６まで給水本管４からの加圧消火用水が充満している。予作動式流水検知装置１８の二次側の分岐管１９については、消火用水を充満させていてもよいし、消火用水を排水した空配管としておいてもよい。
【００２４】
区画Ａで火災が発生した場合には、従来の湿式スプリンクラー消火設備と同じであり、閉鎖式スプリンクラーヘッド１０ａのいずれかが火災による熱を受けて作動すると、湿式流水検知装置８が流水により作動して弁を開き、給水本管４の管内圧力の低下を圧力タンク１３の圧力スイッチ１４で検知してポンプ制御盤１５によりモータ２を起動して消火ポンプ１の運転を開始し、加圧消火用水の作動したスプリンクラーヘッド１０ａからの放出を行う。
【００２５】
予作動式流水検知装置１８の二次側の分岐管１９の区画Ｂで火災が発生した場合には、まず火災感知器２４が火災を検出して火災検出信号Ｅ２をスプリンクラー制御盤２３に出力する。この火災検出信号Ｅ２を受けたスプリンクラー制御盤２３は、制御信号Ｅ３を電動弁２１に出力し、電動弁２１を開くことによって予作動式流水検知装置１８の弁が開放され、一次側の加圧消火用水を二次側の分岐管１９に供給した予作動状態を作り出す。
【００２６】
火災検出信号Ｅ２は更に自火報受信盤２５に与えられており、必要があればプリアラームが出される。続いて火災により区画Ｂに設けている閉鎖型スプリンクラーヘッド１０ｂのいずれかが作動すると、分岐管１９に供給されている加圧消火用水が放出され、開放状態にある予作動式流水検知装置１８に水の流れが生じて流水検知スイッチ２２がオンする。
【００２７】
これにより自火報受信盤２５は流水検知信号Ｅ４を受けて、区画Ｂでの火災発生を警報表示する。区画Ｂのスプリンクラーヘッド１０ｂの作動による流水は、分岐管６側の湿式流水検知装置８にも水を流して弁の開放作動を行わせ、流水検知スイッチ９が作動して流水検知信号Ｅ１が自火報受信盤２５に送られる。しかしながら、自火報受信盤２５は予作動式流水検知装置１８の流水検知スイッチ２２からの流水検知信号Ｅ４による区画Ｂの火災警報表示状態にあることから、この流水検知信号Ｅ１は無視する。
【００２８】
湿式流水検知装置８が弁を開くと給水本管４からの加圧用水の供給が行われ、これに伴い管内圧力が低下し、圧力タンク１３に設けている圧力スイッチ１４が管内圧力の規定圧力以下への低下でオンし、この圧力スイッチ１４のオンをポンプ制御盤１５で検出してモータ２を起動し、消火ポンプ１の運転により貯水槽３から消火用水を加圧して給水本管４、分岐管６、湿式流水検知装置８、予作動式流水検知装置１８を介して分岐管１９に供給し、作動したスプリンクラーヘッド１０ｂから区画Ｂに対し消火用水を継続的に散水させることになる。
【００２９】
尚、この状態で区画Ａで火災が発生してスプリンクラーヘッド１０ａが作動しても、作動したスプリンクラーヘッド１０ａから散水が行われ、独立して消火活動が行われる。
図２は本発明の他の実施形態であり、１つの警戒区域を構成する分岐管の系統の湿式流水検知装置に続いて、乾式流水検知装置を設置した乾式設備構成としたことを特徴とする。
【００３０】
図２において、区画Ａに対する湿式消火設備は図１の実施形態と同じであり、湿式流水検知装置８の二次側の分岐管に仕切り弁１７を介して乾式流水検知装置２６を接続し、乾式流水検知装置２６の二次側の分岐管１９に閉鎖型スプリンクラーヘッド１０ｂを接続している。
乾式流水検知装置２６の二次側の分岐管１９に対しては、更にコンプレッサ２８から加圧空気を供給する空気配管２９が接続される。空気配管２９には、圧力スイッチ３２、オリフィス３０及び逆止弁３１が設けられており、圧力スイッチ３２で決まる規定圧力に分岐管１９内の充填空気圧を維持するようにコンプレッサ２８を制御する。
【００３１】
乾式流水検知装置２６は、二次側の分岐管１９に充填された空気圧が規定圧力以上の状態で制御弁を閉じており、分岐管１９の空気圧が閉鎖型スプリンクラーヘッド１０ｂの作動により低下すると制御弁を開放する。乾式流水検知装置２６の一次側の分岐管６には加圧消火用水が充満している。
流水検知装置２６の制御弁が開くと分岐管１９に消火用水が流れ、この流水を流水検知スイッチ２７で検出して流水検知信号Ｅ６を自火報受信盤２５に出力するようにしている。更に分岐管１９の管末には末端試験弁１１ｂ及びオリフィス１２ｂが設けられている。
【００３２】
次に図２の動作を説明する。定常監視状態にあっては湿式流水検知装置８及び乾式流水検知装置２６は閉鎖状態にあり、給水本管４からの加圧消火用水は分岐管６の乾式流水検知装置２６の一次側まで充満している。乾式流水検知装置２６の二次側の分岐管１９は空配管となっており、更に空気配管２９の接続によりコンプレッサ２８による規定の空気圧が充填されている。
【００３３】
湿式消火設備となる区画Ａでの火災発生については図１の実施形態と同じであり、このとき区画Ｂ側は全く影響を受けない。次に、区画Ｂで火災が発生すると閉鎖型スプリンクラーヘッド１０ｂのいずれかが作動し、分岐管１９に充填されている加圧空気が放出される。この加圧空気の放出による分岐管１９の圧力低下を受けて乾式流水検知装置２６が制御弁を開放し、一次側に充満している加圧用水を二次側の分岐管１９に流し、作動したスプリンクラーヘッド１０ｂから放出させる。
【００３４】
この流水を受けて流水検知スイッチ２７がオンし、流水検知信号を自火報受信盤２５に出力して区画Ｂでの火災発生の警報表示が行われる。乾式流水検知装置２６から分岐管１９に消火用水が流れると、更に湿式流水検知装置８にも消火用水が流れて弁が開放し、給水本管４の圧力低下に伴う圧力スイッチ１４のオンによるモータ２の起動で消火ポンプ１の運転が開始される。
【００３５】
図３は本発明のスプリンクラー消火設備の他の実施形態であり、分岐管に複数の湿式流水検知装置を設け、更に湿式流水検知装置に続いて、一斉開放弁を介して特定の防護区画に設置した開放型スプリンクラーヘッドを接続するようにしたことを特徴とする。
図３において、分岐管６の引き出し側となる区画Ａについては図１の湿式主体のスプリンクラー消火設備と同じであり、これに続いて仕切り弁１７を介して湿式流水検知装置３３を設け、更に仕切り弁３４を介して加圧式一斉開放弁３５を設けている。加圧式一斉開放弁３５の二次側には仕切り弁３６を介して分岐管１９が接続され、分岐管１９にＯＡルームや薬品貯蔵所のように極端に水を嫌う区画Ｂを防護対象として開放型スプリンクラーヘッド４０ｂを接続している。
【００３６】
加圧式一斉開放弁３５は、一次側とそのパイロットポートとの間に電動弁３８を接続している。また電動弁３８と並列に手動制御弁３７を接続している。また区画Ｂには火災感知器２４が設置され、火災感知器２４による火災検出信号Ｅ２をスプリンクラー制御盤２３に与えている。スプリンクラー制御盤２３は火災感知器２４から火災検出信号Ｅ２を受信すると、加圧式一斉開放弁３５に設けている制御弁３８に対し制御信号Ｅ３を出力して開放作動させる。
【００３７】
電動弁３８が開放すると、一次側の分岐管の加圧用水が加圧式一斉開放弁３５のパイロットポートに供給され、一斉開放弁３５が開放する。それ以外の構成は図１の実施形態と同じである。
次に図３の動作を説明する。まず定常監視状態にあっては、加圧式一斉開放弁３５の一次側の分岐管まで加圧用水が充満しており、加圧式一斉開放弁３５の二次側の分岐管１９は空配管となっている。また電動弁３８も閉鎖状態にあり、加圧式一斉開放弁３５のパイロットポートに対する加圧消火用水の供給を遮断している。
【００３８】
湿式スプリンクラー消火設備の構成をとる区画Ａでの火災発生については、図１の実施形態と同じである。これに対し極端に水を嫌う区画Ｂでの火災発生にあっては、まず火災感知器２４が火災を検出して火災検知信号Ｅ２をスプリンクラー制御盤２３に出力する。
火災検出信号Ｅ２を受信したスプリンクラー制御盤２３は、電動弁３８に対し制御信号Ｅ３を出力して開放作動させ、加圧式一斉開放弁３５の一次側から加圧消火用水をそのパイロットポートに供給し、弁の開放動作を行わせる。加圧式一斉開放弁３５が開放すると、一次側から二次側の分岐管１９に加圧消火用水が供給され、開放型スプリンクラーヘッド４０ｂから消火用水の散水が開始される。
【００３９】
加圧式一斉開放弁３５の開放動作による消火用水の流水は湿式流水検知装置３３でも起き、制御弁が開放して一次側から消火用水を流し、これに伴い湿式流水検知装置８にも流水が生じて制御弁が開放作動し、給水本管４側からも消火用水を流し、管内圧力の低下に伴う圧力スイッチ１４のオンによるモータ２の起動で消火ポンプ１の運転が開始される。
【００４０】
また湿式流水検知装置３３の開放作動により、その流水検知スイッチ２７が流水検知信号Ｅ６を自火報受信盤２５に出力し、これによって区画Ｂでの火災発生の警報表示ができる。即ち、分岐管６の系統に２台の湿式流水検知装置８，３３を設けていることで、同じ分岐系統であっても区画Ａと区画Ｂに分けて自火報受信盤２５で火災表示ができ、分岐系統を１つの警戒区域として一括して火災表示する場合に比べ、細分化された区画Ａ，Ｂごとの火災警報表示ができ、例えば屋内消火栓などによる消火活動の際の火災区画の特定が容易となり、迅速な消火活動が可能となる。
【００４１】
図４は本発明のスプリンクラー消火設備の他の実施形態であり、分岐管系統に複数の湿式流水検知装置を設けたことを特徴とする。この実施形態にあっては、警戒区画を区画Ａ，Ｂの２つに分けて湿式流水検知装置８，３３を設けており、それぞれ流水検知スイッチ９，２７を備えている。区画Ａ，Ｂの湿式設備そのものは流水検知装置８，３３の二次側の分岐管に閉鎖型スプリンクラーヘッド１０ａ，１０ｂを設けた同じ構成であり、更に管末には末端試験弁１１ａ，１１ｂとオリフィス１２ａ，１２ｂを設けている。
【００４２】
湿式流水検知装置８，３３に設けた流水検知スイッチ９，２７の流水検出信号Ｅ１，Ｅ２は、自火報受信盤２５に与えられる。自火報受信盤２５は流水検知スイッチ９の流水検出信号Ｅ１のみが得られたときに区画Ａの火災を警報表示し、また流水検知スイッチ２７の流水検出信号Ｅ２が得られたときに区画Ｂの火災を警報表示する。
【００４３】
区画Ｂの火災にあっては、流水検知スイッチ２７の流水検出信号Ｅ２に続いて流水検知スイッチ９からの流水検出信号Ｅ１が得られるが、この流水検出信号Ｅ１は無視してもよいし、両者の論理積により区画Ｂの火災警報表示を行ってもよい。
図４の分岐管系統に２つの湿式流水検知装置８，３３を設けた実施形態にあっては、この分岐系統の警戒区画を区画Ａ，Ｂの２つに分けて火災警報表示を行うことができる。このため、火災発生時に警戒区画での火災区画を細かく特定でき、屋内消火栓などを使用した消火活動が適切にできる。尚、図４の実施形態にあっては、分岐管系統に２台の湿式流水検知装置８，３３を設けた場合を例にとっているが、火災表示区画の数に応じて任意の数の湿式流水検知装置を設けてもよいことはもちろんである。
【００４４】
図５は図１〜図４の各実施形態をまとめて比較している。図５において、給水本管４の引き出し側となる分岐管６を第１分岐系統１００とし、この第１分岐系統１００については湿式流水検知装置８と閉鎖型スプリンクラーヘッド１０ａを設けた各実施例共通の湿式主体とした設備構成となっている。
これに対し第１分岐系統１００に続く第２分岐系統２００Ａ，２００Ｂ，２００Ｃ，２００Ｄが、図１，図２，図４，図３の各実施形態固有の設備構成をもっている。即ち、図１の第２分岐系統２００Ａにあっては分岐管１９に予作動式流水検知装置１８と閉鎖型スプリンクラーヘッド１０ｂを設けている。図２の第２分岐系統２００Ｂにあっては分岐管１９に乾式流水検知装置２６と閉鎖型スプリンクラーヘッド１０ｂを設けている。
【００４５】
図４の第２分岐系統２００Ｃについては、分岐管１９に湿式流水検知装置３３と閉鎖型スプリンクラーヘッド１０ｂを設けている。更に図３の第２分岐系統２００Ｄにあっては、基本的な形態は図４の第２分岐系統２００Ｃと同じ分岐管１９に湿式流水検知装置３３を設けた構成であるが、更に一斉開放弁３５を介して開放型スプリンクラーヘッド４０ｂを設けた点に特徴がある。
【００４６】
この図５の各実施形態の対比説明から明らかなように、給水本管からの分岐管６で決まる１つの警戒区域について、少なくとも第１分岐系統１００と第２分岐系統に分け、第２分岐系統の構成として２００Ａまたは２００Ｄのいずれかを選択することで、湿式スプリンクラー消火設備とは別の形態をとる設備構成との複合化が任意に実現できる。
【００４７】
尚、本発明のスプリンクラー消火設備は図５の形態に限定されず、第２分岐系統に設ける予作動式、乾式、湿式の三種を基本として同じ設備形態又は異なる設備形態の組み合せによる適宜の設備形態をとることができる。
【００４８】
【発明の効果】
以上説明してきたように本発明によれば、給水本管から湿式流水検知装置を介して警戒区域ごとに分岐管を引き出して閉鎖型スプリンクラーヘッドを接続した湿式主体のスプリンクラー設備について、１つの警戒区域内の極端に水を嫌う特定の防護区画について、例えば湿式流水検知装置の二次側に予作動式流水検知装置を設置し、その二次側の分岐管に閉鎖型スプリンクラーヘッドを接続する予作動式の設備構成とすることで、警戒区域全体を予作動式設備にしたり特定の区画に専用の分岐管を設けて予作動式設備とすることなく、配管材料等を増やすことなく低コストで湿式主体の設備の中の特定部分を予作動式設備とすることができる。
【００４９】
同様にして湿式主体の設備構成の特定部分につき乾式設備構成、更には同じ湿式設備構成とすることで、湿式設備構成以外の他の設備を低コストで１つの警戒区域内に実現し、区画の環境状態に適合した最適な設備形態をとることができる。また、湿式流水検知装置の二次側に接続される流水検知装置は、直列に接続されるため口径を小さくでき、設備費用を低コストにできる。
【００５０】
更に，１つの警戒区画の分岐管に複数の流水検知装置を設けることによって警戒区画を複数の区画に分割した火災警報表示ができ、火災が発生した警戒区域内の区画を詳細に特定できることで、火災位置や火災規模の判断が迅速にでき、屋内消火栓などによる消火活動や避難誘導活動などの対処を効率的に行うことができる。また、特定の防護区画のみを他の設備形態とすることができるので、既に湿式のスプリンクラー消火設備が設置されている既設物件についても、部分的に他の設備形態とすることが容易にできる。また、作動試験用の末端試験弁を特定区域用と特定区域以外用と別々に用意し設けることで、１警戒区域内の作動試験時に各作動試験による警報表示等の確認などができ、よりきめ細かい試験を行うことができる。
【図面の簡単な説明】
【図１】湿式流水検知装置に続いて予作動式流水検知装置を設けた本発明の実施形態の説明図
【図２】湿式流水検知装置に続いて乾式流水検知装置を設けた本発明の実施形態の説明図
【図３】湿式流水検知装置に続いて湿式流水検知装置及び一斉開放弁を設けた本発明の実施形態の説明図
【図４】湿式流水検知装置を複数設けた本発明の実施形態の説明図
【図５】図１〜図４の実施形態を対比した説明図
【図６】従来の湿式スプリンクラー消火設備の説明図
【図７】従来の予作動式スプリンクラー消火設備の説明図
【符号の説明】
１：消火ポンプ
４：給水本管
６，１９：分岐管
８，３３：湿式流水検知装置
９，２２，２７：流水検知スイッチ
１０ａ，１０ｂ：閉鎖型スプリンクラーヘッド
１３：空気タンク
１４：圧力スイッチ
１５：ポンプ制御盤
１８：予作動式流水検知装置
２１，３８：電動弁
２３：スプリンクラー制御盤
２４：火災感知器
２５：自火報受信盤
２６：乾式流水検知装置
２８：コンプレッサ
２９：空気配管
３５：加圧式一斉開放弁
４０ｂ：開放型スプリンクラーヘッド
【図１】
0003839535.tif 000002
【図２】
0003839535.tif 000003
【図３】
0003839535.tif 000004
【図４】
0003839535.tif 000005
【図５】
0003839535.tif 000006
【図６】
0003839535.tif 000007
【図７】
0003839535.tif 000008